(57)【特許請求の範囲】
【請求項１】
見開き構成の電報の台紙の一部に物体像の白色光再生可能なカラー体積型ホログラムが貼着され、前記カラー体積型ホログラムの一部にさらにレリーフ型で反射型のレインボーホログラムが貼着されており、半開状態にした場合に前記カラー体積型ホログラムに対向する位置に豆電球が取り付けられ、ペーパー電池と電報を開いたときに閉接するスイッチとが内蔵され、前記豆電球は前記電池に前記スイッチを介して接続されており、前記カラー体積型ホログラムと前記レインボーホログラムの少なくとも一方にレーザービームで記録された可変情報が追記されていることを特徴とする記載のカラーホログラム電報。
【請求項２】
前記カラー体積型ホログラムが単層のホログラム層に記録されたものであることを特徴とする請求項１記載のカラーホログラム電報。
【発明の詳細な説明】
【０００１】
【発明の属する技術分野】
本発明は、カラーホログラム電報に関し、特に、電報の一部にカラーホログラムを貼り付けて意匠性等を高くした電報に関するものである。
【０００２】
【従来の技術】
従来、電報に押し花を添えたり、刺繍を施したものはよく知られている。
しかしながら、これらの電報には意匠性の点で限界があった。
【０００３】
【発明が解決しようとする課題】
本発明は従来技術のこのような現状に鑑みてなされたものであり、その目的は、電報にカラーホログラムを貼り付けて立体像等を表示可能にして電報の意匠性、意外性、注目性を高めるようにすることである。
【０００４】
【課題を解決するための手段】
上記目的を達成する本発明のカラーホログラム電報は、見開き構成の電報の台紙の一部に白色光再生可能なカラーホログラムが貼着されていることを特徴とするものである。
【０００５】
この場合、カラーホログラムとしてはカラー体積型ホログラムがある。その場合、単層のホログラム層に記録されたものであることが望ましい。
【０００６】
また、そのカラーホログラムは、レリーフ型で反射型のレインボーホログラムであってもよい。
【０００７】
また、半開状態にした場合にそのカラーホログラムに対向する位置に豆電球が取り付けられ、ペーパー電池と電報を開いたときに閉接するスイッチとが内蔵され、その豆電球はその電池にそのスイッチを介して接続されている構成とすることがより好ましい。
以上のカラーホログラムに可変情報を追記するようにしてもよい。
【０００８】
本発明においては、見開き構成の電報の台紙の一部に白色光再生可能なカラーホログラムが貼着されているので、電報を受け取った者は、このカラーホログラムに記録されたカラー物体、文字等を観察でき、電報の意匠性、意外性、注目性を高めることができる。
【０００９】
【発明の実施の形態】
以下、本発明のカラーホログラム電報を実施例に基づいて説明する。
本発明のいくつかの実施例においては、体積型ホログラムあるいはリップマンホログラムと呼ばれるホログラムを用いる。図６を用いてその体積型ホログラムの記録方法と再生方法を説明する。体積型ホログラムの記録には、図６（ａ）に示すように、フォトポリマー等の体積型ホログラム記録材料１を用い、記録する立体物体Ｏを照明光２で照明すると、物体Ｏから散乱光３が生じるので、その散乱光３（物体光）を記録材料１の裏面側から入射させると共に、照明光２と同じ波長で相互に可干渉な参照光４を記録材料１の表面側から入射させ、両光束３と４を記録材料１中で干渉させ、その干渉縞を記録材料１中に記録することにより行われる。この際、照明光２と参照光４をＲ（赤色）、Ｇ（緑色）、Ｂ（青色）３つの波長を含む光として一度に記録するか、記録材料１と物体Ｏをそのままにして照明光２と参照光４の波長をＲ、Ｇ、Ｂに順に変えて１枚の記録材料１に３回記録することによりカラー体積型ホログラム１’が得られる。
【００１０】
記録後、増感等を施したカラー体積型ホログラム１’に、図６（ｂ）に示すように、白色光５を照射すると、体積型ホログラム１’からは回折光６が生じ、その回折光６は記録された物体Ｏのカラー立体像Ｏ’を虚像として再生するので、観察者の目Ｅにはこのカラー立体像Ｏ’が見える。
【００１１】
本発明のカラーホログラム電報の１実施例においては、図１に示すように、折れ線１１で見開きする電報１０の開いた面の一方の面１２上にこのようなカラー体積型ホログラム１’を貼り付ける。そして、開いた面の他方の面１３の一部に豆電球１４を取り付けておき、また、電報１０の何れかの位置にペーパー電池１５を内蔵させておき、電池１５と豆電球１４とは面１２と面１３を開いたときに閉接するスイッチ１６を介して接続しておく。なお、符号１７は電文である。
【００１２】
このような本発明の電報１０において、図２に示すように、２つ折りにした面１２を略９０°広げると、スイッチ１６が閉じて面１３上の豆電球１４が点灯し、照明光１８を発し、その照明光１８は他の面１２上のカラー体積型ホログラム１’を照明するので、電報を受け取った者は、このカラー体積型ホログラム１’に記録されたカラー物体、文字、例えば祝電においては鶴と亀の立体記録あるいは文字「壽」の記録、弔電においては花の立体記録等を観察することができる。
【００１３】
このようなカラー体積型ホログラム１’は、全厚さを薄くするため、Ｒ、Ｇ、Ｂ３波長で多重記録してカラー体積型ホログラムを形成するホログラム層を単層で構成する。図３にこのカラー体積型ホログラム１’の層構成の一例の断面図を示す。カラー体積型ホログラム１’は電報の例えば紙からなる基材２１上に接着されるもので、基材２１側から粘着層２２、単層のフォトポリマー等からなる体積型ホログラム層２０、粘着層２３、ＰＥＴ等からなる透明保護層２４の積層体からなり、それぞれの層の厚さは、体積型ホログラム層２０は２５μｍ以下、例えば１５μｍ、粘着層２２、２３はそれぞれ２０μｍ以下、例えば１５μｍ、透明保護層２４は２５〜５０μｍの構成である。
【００１４】
ところで、カラー体積型ホログラム１’には、前記したように、電報に意匠性、意外性、注目性を与えるために、予めカラー物体、文字等を立体記録しておくが、その上に後から電文、宛て名、絵柄等の可変情報をレーザービームを用いて書き込むこともできる。その様子を図４に示す。電報１０に貼り付けられたカラー体積型ホログラム１’に赤外等のレーザービーム２５を入射させると、フォトポリマー等からなる体積型ホログラム層の照射位置は白濁して目に見えるようになるので、レーザービーム２５を偏向走査させて所定の文字等を追記するすることができ、より意匠性等が向上する。
【００１５】
ところで、白色光再生可能なカラーホログラムとして、体積型ホログラム以外にレインボーホログラムがある。このホログラムはイメージホログラムの一種で、スリットによって縦方向の情報を制限することにより白色光再生可能にしたもので、疑似的なカラーホログラムとなる。このレインボーホログラムは、レリーフ型で反射型のホログラムとして構成できる。図５にその模式的な断面図を示す。レリーフ型のホログラムは、ホトレジスト等のレリーフ型ホログラム記録材料に干渉縞をレリーフパターンとして記録し、そのレリーフパターンをフォトポリマー等を用いて転写することにより、樹脂層２６に裏面に干渉縞のレリーフパターン２７が形成される。そのレリーフパターン２７上にアルミニウム等の反射層２８を蒸着等の手法により設けることにより、レリーフ型で反射型のレインボーホログラム３０が形成される。このようなレリーフ型で反射型のレインボーホログラム３０を図１のカラー体積型ホログラム１’の代わりに貼り付けることにより、図１、図２の場合と同様に、その中に記録されたカラーパターンを電報を受け取った者が観察することができる。
【００１６】
このレリーフ型で反射型のレインボーホログラム３０の場合も、図５に示すように、赤外等のレーザービーム２５を偏向走査させて所定の文字等を追記するすることができる。この場合は、レーザービーム２５がレインボーホログラム３０の反射層２８を凝縮等により破壊することにより、照射位置の反射特性が変化し見えるようになるので、後から可変情報を書き込むことができるものである。
【００１７】
また、図１に示すように、電報１０に貼り付けたカラー体積型ホログラム１’の一部にさらに上記のレリーフ型で反射型のレインボーホログラム３０を貼り付けるようにしてもよい。
【００１８】
以上、本発明のカラーホログラム電報を実施例に基づいて説明してきたが、本発明はこれら実施例に限定される種々の変形が可能である。もちろん、ペーパー電池とスイッチを設けずに、外光によりカラーホログラムに記録されたカラー像を観察するようにしてもよい。
【００１９】
【発明の効果】
以上の説明から明らかなように、本発明においては、見開き構成の電報の台紙の一部に白色光再生可能なカラーホログラムが貼着されているので、電報を受け取った者は、このカラーホログラムに記録されたカラー物体、文字等を観察でき、電報の意匠性、意外性、注目性を高めることができる。
【図面の簡単な説明】
【図１】本発明のカラーホログラム電報の１実施例の平面図である。
【図２】図１のカラーホログラム電報を半開状態の側面図である。
【図３】カラー体積型ホログラムの層構成の一例の断面図である。
【図４】図１のカラーホログラム電報に可変情報を追記する様子を示す図である。
【図５】レリーフ型で反射型のレインボーホログラムを説明するための図である。
【図６】体積型ホログラムの記録方法と再生方法を説明するための図である。
【符号の説明】
Ｏ…立体物体
Ｏ’…カラー立体像
Ｅ…観察者の目
１…体積型ホログラム記録材料
１’…カラー体積型ホログラム
２…照明光
３…散乱光
４…参照光
５…白色光
６…回折光
１０…電報
１１…折れ線
１２…一方の面
１３…他方の面
１４…豆電球
１５…ペーパー電池
１６…スイッチ
１７…電文
１８…照明光
２０…体積型ホログラム層
２１…基材
２２…粘着層
２３…粘着層
２４…透明保護層
２５…レーザービーム
２６…樹脂層
２７…レリーフパターン
２８…反射層
３０…レリーフ型で反射型のレインボーホログラム
【図１】
0004100525.tif 000002
【図２】
0004100525.tif 000003
【図３】
0004100525.tif 000004
【図４】
0004100525.tif 000005
【図５】
0004100525.tif 000006
【図６】
0004100525.tif 000007